(57)【特許請求の範囲】
【請求項１】
ＵＳＢケーブルを介してデータバックアップ用の外部のパーソナルコンピュータと接続するためのＵＳＢインタフェース及び当該ＵＳＢインタフェースに接続された外部メモリ媒体を備えた携帯電話端末装置において、
前記外部メモリ媒体に予め併設され当該外部メモリ媒体に対するアクセス指令を唯一設定する内部プログラムである外部メモリ媒体アクセス制御プログラムを格納するメモリ部および予めユーザによって入力されたユーザデータを格納するメモリ部とを備えた本体内蔵不揮発メモリと、この本体内蔵不揮発メモリおよび前記外部メモリ媒体の動作を制御する制御部とを備えると共に、
前記パーソナルコンピュータから送くられて来るバックアップコマンドに基づいて内蔵不揮発性メモリに記憶されているユーザデータを前記外部メモリ媒体に転写する転写手段と、前記パーソナルコンピュータからのアクセス可能コマンドに基づいて前記外部メモリ媒体をＵＳＢマス・ストレージ・クラスとして前記パーソナルコンピュータからのアクセスを可能に設定するアクセス制御手段と、前記外部メモリ媒体から前記転写されたユーザデータを前記パーソナルコンピュータに転送する転送手段とを有し、
前記各部の動作を制御する前記制御部は、
前記転写手段の実行に先立って稼働し前記パーソナルコンピュータからのバックアップコマンドを受信した場合に前記外部メモリ媒体アクセス制御プログラムにより設定されるアクセスが前記外部メモリ媒体に対して実行可能な状態か否かを判定するアクセス可否判定機能と、
前記外部メモリ媒体に対する前記アクセスが実行可能な場合に稼働して又は前記アクセスの実行が不可能な場合には実行可能な状態に設定してから稼働して前記転写手段を介して前記ユーザデータを前記本体内蔵不揮発メモリ内から前記部外部メモリ媒体に転写するユーザデータ転写制御機能とを備えていることを特徴とした携帯電話端末装置。
【請求項２】
前記転写手段は、前記携帯電話端末装置のＯＳ（オペレーティング・システム）のコピー機能を担う外部コマンドに基づいて設定されるものであることを特徴とする請求項１に記載の携帯電話端末装置。
【請求項３】
前記アクセス制御手段は、携帯電話端末装置が前記ＵＳＢケーブルで前記パーソナルコンピュータに接続されたときに、ＵＳＢ通信クラスとして動作させるか、前記外部メモリ媒体と接続しＵＳＢマス・ストレージ・クラスとして動作させるかの切替制御をすることを、その内容とするものであることを特徴とする請求項１又は２に記載の携帯電話端末装置。
【請求項４】
前記パーソナルコンピュータからの前記バックアップコマンド及び前記アクセス可能コマンドの受信時に、前記パーソナルコンピュータに対してパスワードを要求するセキュリティ機能を付加したことを特徴とする請求項１乃至３の何れか一つに記載の携帯電話端末装置。
【請求項５】
前記請求項１乃至４の何れか一つに記載の携帯電話端末装置と、記憶装置及びコマンド送信手段を備えたパーソナルコンピュータとを、ＵＳＢケーブルで接続して成る携帯電話ユーザデータ・バックアップ・システム。
【請求項６】
外部メモリ媒体を備えた携帯電話端末と、記憶装置及びコマンド送信手段を備え前記携帯電話端末が有するユーザデータをバックアップするためのパーソナルコンピュータとをＵＳＢケーブルで接続して成るバックアップ・システムにおける携帯電話ユーザデータのバックアップ方法であって、
前記携帯電話端末が前記パーソナルコンピュータから送られて来るバックアップコマンドを受信する受信工程と、
この受信したバックアップコマンドに基づいて前記携帯電話端末側の本体内蔵不揮発性メモリに記憶されている電話番号帳等のユーザデータを前記外部メモリ媒体に転写する転写工程と、
前記パーソナルコンピュータから前記携帯電話端末側の外部メモリ媒体をアクセス可能に設定するアクセス可能コマンド受信工程と、
前記携帯電話端末側の外部メモリ媒体をＵＳＢマス・ストレージ・クラスとして機能させるアクセス制御工程と、
前記外部メモリ媒体から前記転写されたユーザデータを前記パーソナルコンピュータに転送する転送工程とを備え、
前記転写工程の実行に先立って実行する工程として、
前記パーソナルコンピュータからのバックアップコマンドを受信した場合に前記外部メモリ媒体アクセス制御プログラムにより設定されるアクセスが前記外部メモリ媒体に対して実行可能な状態か否かを判定するアクセス可否判定工程と、
前記外部メモリ媒体に対する前記アクセスが実行可能な場合に稼働して又は前記アクセスの実行が不可能な場合には実行可能な状態に設定してから稼働して前記ユーザデータを前記本体内蔵不揮発メモリ内から前記部外部メモリ媒体に転写するユーザデータ転写制御工程と、
を設けたことを特徴とする携帯電話ユーザデータのバックアップ方法。
【請求項７】
前記バックアップコマンド及びアクセス可能コマンドの受信時にパスワード等を要求するセキュリティ確認工程を付加したことを特徴とする前記請求項６に記載の携帯電話ユーザデータのバックアップ方法。
【請求項８】
外部メモリ媒体を備えた携帯電話端末と、記憶装置及びコマンド送信手段を備え前記携帯電話端末が有するユーザデータをバックアップするためのパーソナルコンピュータとをＵＳＢケーブルで接続して成るバックアップ・システムにあって、
前記パーソナルコンピュータから前記携帯電話端末に向けて送られて来るバックアップコマンドを受信するバックアップコマンド受信処理機能、
この受信したバックアップコマンドに基づいて前記携帯電話端末側の本体内蔵不揮発性メモリに記憶されている電話番号帳等のユーザデータを前記外部メモリ媒体に転写する転写処理機能、
前記パーソナルコンピュータから前記携帯電話端末側の外部メモリ媒体をアクセス可能に設定するためのアクセス可能コマンドが送られてきた場合にこれを受信するアクセス可能コマンド受信処理機能、
前記アクセス可能コマンドの受信に対応して前記携帯電話端末側の外部メモリ媒体をＵＳＢマス・ストレージ・クラスとして機能させるアクセス制御機能、
および前記外部メモリ媒体に前記本体内蔵不揮発性メモリから転写された前記ユーザデータを前記パーソナルコンピュータに転送する転送処理機能とを備え、
前記転写処理機能の実行に先立って実行処理する機能として、
前記パーソナルコンピュータからのバックアップコマンドを受信した場合、前記外部メモリ媒体アクセス制御プログラムにより設定されるアクセスが前記外部メモリ媒体に対して実行可能な状態か否かを判定するアクセス可否判定処理機能、
前記外部メモリ媒体に対する前記アクセスが実行可能な場合に稼働して又は前記アクセスの実行が不可能な場合には実行可能な状態に設定してから稼働して前記ユーザデータを前記本体内蔵不揮発メモリ内から前記部外部メモリ媒体に転写するユーザデータ転写処理制御機能とを設け、
これら各処理機能を前記携帯電話端末が備えているコンピュータに実現させるようにしたことを特徴とした携帯電話のユーザデータ用バックアップ・プログラム。
【発明の詳細な説明】
【技術分野】
【０００１】
本発明は、携帯電話端末装置に関し、特に電話帳データ等のユーザデータを簡単にパーソナルコンピュータ（以下、単に「パソコン」という）等にバックアップし、又リストアできる機能を備えた携帯電話装置、ユーザデータ・バックアップ・システム、方法及びそのプログラムに関する。
【背景技術】
【０００２】
広く普及した携帯電話端末には、電話帳・メールアドレスなど、貴重で膨大なユーザデータが格納されている。これらユーザデータを、携帯電話端末の紛失時や故障時にも再現できるような、簡易で安全なバックアップ方法が望まれている。
【０００３】
そのような携帯電話端末のユーザデータのバックアップ、さらには、そのバックアップした電話帳などユーザデータを携帯電話端末にリストア（復旧）方法が、既に数多く考案されている。
【０００４】
これら方法の一つとして、携帯電話端末内の不揮発性メモリ上の電話帳などのユーザデータにアクセスしてユーザデータをダウンロードする専用ユーザデータバックアップ装置がある。携帯電話端末接続用プラグとバックアップ用のメモリ、アクセス手順メモリ等を一体化して組み込んだ可搬型のデータバックアップ装置として市販されている（例えば、特許文献１参照）。
【０００５】
また、携帯電話端末のインターネットアクセス機能を利用して、ネットワーク経由でデータバックアップサーバに電話帳データ等を転送・保存する方法（例えば、特許文献２参照）、あるいは携帯電話端末のメール機能を利用して電話番号帳の更新があると自動的に電話帳更新通知メールを自宅パソコン等に送る方法（特許文献３参照）なども考えられている。
【０００６】
さらに、上述のようなバックアップ専用装置を必要とせず、また、ネットワーク機能も使わない方法として、携帯電話端末のユーザデータを広く普及しているパソコンにバックアップする方法も知られている。すなわち、携帯電話端末とパソコンとを専用ケーブルで接続し、専用ソフトウェアを用いることにより、携帯電話端末のユーザデータをパソコンのハードディスク等に転送し保存する方法が既に開発されている。
【特許文献１】特開２００４−３６３６５２号公報
【特許文献２】特開２００２−１３２７１７号公報
【特許文献３】特開２００５−０５７４７７号公報
【発明の開示】
【発明が解決しようとする課題】
【０００７】
しかし、従来技術のように専用ソフトウェアを開発する方法では、携帯電話端末の内蔵メモリ上のユーザデータにアクセスしデータ転送するために独自開発をしたプロトコルによる実装が必要とされたり、あるいは、オブジェクト交換（ＯＢＥＸ；Object Exchange
）として知られるプロトコルを利用した実装が用いられていために、実装に多大な開発努力を要するのが普通であった。そのため、パソコンのメモリに経済的で簡易かつ安全にユーザデータをバックアップ方法が望まれていた。
（発明の目的）
本発明は、上記問題点に鑑み、経済的で簡易且つ安全に携帯電話端末のユーザデータをパソコンにバックアップすることが可能な携帯電話端末及びバックアップ方法を提供し利便性と安全性の向上を図ることを、その目的とする。
【課題を解決するための手段】
【０００８】
上記課題を解決するため、本発明に係る携帯電話端末装置は、ＵＳＢケーブルを介してデータバックアップ用の外部のパーソナルコンピュータと接続するためのＵＳＢインタフェース及び当該ＵＳＢインタフェースに接続された外部メモリ媒体を備えた携帯電話端末装置において、
前記外部メモリ媒体に予め併設され当該外部メモリ媒体に対するアクセス指令を唯一設定する内部プログラムである外部メモリ媒体アクセス制御プログラムを格納するメモリ部および予めユーザによって入力されたユーザデータを格納するメモリ部とを備えた本体内蔵不揮発メモリと、この本体内蔵不揮発メモリおよび前記外部メモリ媒体の動作を制御する制御部とを備えると共に、
前記パーソナルコンピュータから送くられて来るバックアップコマンドに基づいて内蔵不揮発性メモリに記憶されているユーザデータを前記外部メモリ媒体に転写する転写手段と、前記パーソナルコンピュータからのアクセス可能コマンドに基づいて前記外部メモリ媒体をＵＳＢマス・ストレージ・クラスとして前記パーソナルコンピュータからのアクセスを可能に設定するアクセス制御手段と、前記外部メモリ媒体から前記転写されたユーザデータを前記パーソナルコンピュータに転送する転送手段とを有し、
前記各部の動作を制御する前記制御部は、
前記転写手段の実行に先立って稼働し前記パーソナルコンピュータからのバックアップコマンドを受信した場合に前記外部メモリ媒体アクセス制御プログラムにより設定されるアクセスが前記外部メモリ媒体に対して実行可能な状態か否かを判定するアクセス可否判定機能と、前記外部メモリ媒体に対する前記アクセスが実行可能な場合に稼働して又は前記アクセスの実行が不可能な場合には実行可能な状態に設定してから稼働して前記転写手段を介して前記ユーザデータを前記本体内蔵不揮発メモリ内から前記部外部メモリ媒体に転写するユーザデータ転写制御機能とを備えていることを特徴とする（請求項１）。
【０００９】
これによって、ＵＳＢインタフェース及び外部メモリ媒体を備えた携帯電話端末装置において、電話番号帳等のユーザデータを外部メモリ媒体に一旦コピーし、その外部メモリ媒体からパソコンの記憶装置にＵＳＢの標準的な転送方式を利用してユーザデータをバックアップすることにより、アクセス制御手段などの独自開発部分を最小に抑え、経済的で簡易なユーザデータのバックアップを可能にしている。
【００１０】
ここで、前記転写手段は、前記携帯電話端末装置のＯＳ（オペレーティング・システム）のコピー機能を担う外部コマンドに基づいて設定されるものであってもよい（請求項２）。
【００１１】
更に、前記アクセス制御手段は、携帯電話端末装置が前記ＵＳＢケーブルで前記パーソナルコンピュータに接続されたときに、ＵＳＢ通信クラスとして動作させるか、前記外部メモリ媒体と接続しＵＳＢマス・ストレージ・クラスとして動作させるかの切替制御をすることをその内容とするものであることを特徴とする（請求項３）。
【００１２】
更にまた、前記パーソナルコンピュータからの前記バックアップコマンド及び前記アクセス可能コマンドの受信時に、前記パーソナルコンピュータに対してパスワードを要求するセキュリティ機能を付加した構成としてもよい（請求項４）。
【００１３】
上記課題を解決するため、本発明に係る携帯電話ユーザデータ・バックアップ・システムは、前記携帯電話端末装置と、記憶装置及びコマンド送信手段を備えたパーソナルコンピュータとを、ＵＳＢケーブルで接続して成ることを特徴とする（請求項５）。
【００１４】
これによって、一旦、携帯電話端末装置の電話番号帳等のユーザデータを外部メモリ媒体にコピーし、その外部メモリ媒体からパソコンの記憶装置にＵＳＢの標準的な転送方式を利用してユーザデータをバックアップすることにより、アクセス制御手段などの独自開発部分を最小に抑え、ＵＳＢ機能を活用した経済的で簡易な携帯電話端末のユーザデータのバックアップを可能にしている。
【００１５】
上記課題を解決するため、本発明に係る携帯電話ユーザデータのバックアップ方法は、外部メモリ媒体を備えた携帯電話端末と、記憶装置及びコマンド送信手段を備え前記携帯電話端末が有するユーザデータをバックアップするためのパーソナルコンピュータとをＵＳＢケーブルで接続して成るバックアップ・システムにおける携帯電話ユーザデータのバックアップ方法であって、
前記携帯電話端末が前記パーソナルコンピュータから送られて来るバックアップコマンドを受信する受信工程と、この受信したバックアップコマンドに基づいて前記携帯電話端末側の本体内蔵不揮発性メモリに記憶されている電話番号帳等のユーザデータを前記外部メモリ媒体に転写する転写工程と、前記パーソナルコンピュータから前記携帯電話端末側の外部メモリ媒体をアクセス可能に設定するアクセス可能コマンド受信工程と、前記携帯電話端末側の外部メモリ媒体をＵＳＢマス・ストレージ・クラスとして機能させるアクセス制御工程と、前記外部メモリ媒体から前記転写されたユーザデータを前記パーソナルコンピュータに転送する転送工程とを備え、
前記転写工程の実行に先立って実行する工程として、
前記パーソナルコンピュータからのバックアップコマンドを受信した場合に前記外部メモリ媒体アクセス制御プログラムにより設定されるアクセスが前記外部メモリ媒体に対して実行可能な状態か否かを判定するアクセス可否判定工程と、前記外部メモリ媒体に対する前記アクセスが実行可能な場合に稼働して又は前記アクセスの実行が不可能な場合には実行可能な状態に設定してから稼働して前記ユーザデータを前記本体内蔵不揮発メモリ内から前記部外部メモリ媒体に転写するユーザデータ転写制御工程と、を設けたことを特徴とする（請求項６）。
【００１６】
ここで、前記バックアップコマンド及びアクセス可能コマンドの受信時にパスワード等を要求するセキュリティ確認工程を付加した構成としてもよい（請求項７）。
【００１７】
上記課題を解決するため、本発明に係る携帯電話ユーザデータのバックアップ・プログラムは、外部メモリ媒体を備えた携帯電話端末と、記憶装置及びコマンド送信手段を備え前記携帯電話端末が有するユーザデータをバックアップするためのパーソナルコンピュータとをＵＳＢケーブルで接続して成るバックアップ・システムにあって、
前記パーソナルコンピュータから前記携帯電話端末に向けて送られて来るバックアップコマンドを受信するバックアップコマンド受信処理機能、  この受信したバックアップコマンドに基づいて前記携帯電話端末側の本体内蔵不揮発性メモリに記憶されている電話番号帳等のユーザデータを前記外部メモリ媒体に転写する転写処理機能、  前記パーソナルコンピュータから前記携帯電話端末側の外部メモリ媒体をアクセス可能に設定するためのアクセス可能コマンドが送られてきた場合にこれを受信するアクセス可能コマンド受信処理機能、  前記アクセス可能コマンドの受信に対応して前記携帯電話端末側の外部メモリ媒体をＵＳＢマス・ストレージ・クラスとして機能させるアクセス制御処理機能、  および前記外部メモリ媒体に前記本体内蔵不揮発性メモリから転写された前記ユーザデータを前記パーソナルコンピュータに転送する転送処理機能とを備え、
前記転写処理機能の実行に先立って実行処理する機能として、
前記パーソナルコンピュータからのバックアップコマンドを受信した場合、前記外部メモリ媒体アクセス制御プログラムにより設定されるアクセスが前記外部メモリ媒体に対して実行可能な状態か否かを判定するアクセス可否判定処理機能、  前記外部メモリ媒体に対する前記アクセスが実行可能な場合に稼働して又は前記アクセスの実行が不可能な場合には実行可能な状態に設定してから稼働して前記ユーザデータを前記本体内蔵不揮発メモリ内から前記部外部メモリ媒体に転写するユーザデータ転写処理制御機能とを設け、
これら各処理機能を前記携帯電話端末が備えているコンピュータに実現させるようにしたことを特徴とする（請求項８）。
【発明の効果】
【００１８】
これにより、ＵＳＢインタフェース及び外部メモリ媒体を備えた携帯電話端末装置において、ユーザデータを外部メモリ媒体に一旦コピーし、その外部メモリ媒体からパソコンの記憶装置にＵＳＢの標準的な転送方式を利用してユーザデータをバックアップすることにより、アクセス制御手段などの独自開発部分を最小に抑え、経済的で簡易なユーザデータのバックアップを可能にしている。
【００１９】
さらに、外部コマンドを秘匿する仕組みを追加することによって、エンドユーザ操作では移動が禁止されるディジタル著作権管理（ＤＲＭ：Digital Rights Management ）でプロテクトされたユーザデータ等のバックアップ、リストアも可能にしている。
【発明を実施するための最良の形態】
【００２０】
次に、本発明の実施形態について図面に基づいて説明する。
図１は、本発明の一実施形態である携帯電話端末装置１０とパソコン等のコンピュータ装置４０とをＵＳＢ（Universal Serial Bus）ケーブル５０で接続して、携帯電話端末装置内の電話帳データ等のユーザデータ２２をパソコンのディスク等記憶装置４１にバックアップするユーザデータ・バックアップ・システムである。
【００２１】
ここで、コンピュータ装置（パソコン等）４０は、ユーザデータを格納するためのストレージ（記憶装置）４１及びコマンド送信手段４２を備えて構成される。
一方、携帯電話端末装置１０は、本体内蔵不揮発メモリ２０、外部メモリ媒体３０、及びこれら各構成部の動作を制御する図示しない制御部等を備えて構成されている。そして、この携帯電話端末装置１０は、パソコン４０のコマンド送信手段４２から送出されるバックアップコマンドに基づいて内蔵不揮発性メモリ２０に記憶されているユーザデータ２２を外部メモリ媒体３０に一旦転写する転写手段と、パソコン４０のコマンド送信手段４２から送出されるアクセス可能コマンドに基づいて外部メモリ媒体３０をＵＳＢマス・ストレージ・クラスとしてパソコン４０からアクセス可能にするアクセス制御手段と、外部メモリ媒体３０から前記転写されたユーザデータをパソコン４０に転送する転送手段とを備えている。
【００２２】
転写手段としては、携帯電話端末装置のＯＳ（オペレーティング・システム）の機能として一般的に準備されているコピーコマンド（外部コマンドである場合が多い）を実装して使っている。
【００２３】
アクセス制御手段は、外部メモリ媒体アクセス制御プログラム２１により例えば前述した制御部内に設定されるものであり、外部メモリ媒体３０へのアクセスを携帯内部からのみ許容するか（内蔵不揮発メモリ２０からの転写時）、外部（パソコン４０側）からアクセスを許容するかのアクセス制御を司っている。なお、本体内蔵不揮発メモリ２０には、そのメモリ部の一部に電話番号帳などのユーザデータ２２等も格納されている。
【００２４】
転送手段は、主として外部メモリ媒体３０からパソコ４０側へのデータを転送するＵＳＢシステムが担っている。ＵＳＢケーブルを介して、例えばデジタルカメラの大容量メモリからパソコンへ画像データを簡単に転送できるように、その転送機能を活用するわけである。
【００２５】
次に、本システムのユーザデータ保存動作の概要を説明する。
コンピュータ装置４０から、先ず、コマンド送信手段４２を使いユーザによって入力されたユーザデータのバックアップコマンド（外部コマンド、例えばＡＴコマンド等を利用）が、ＵＳＢケーブルを介して携帯電話装置１０に発行されると、携帯電話装置１０ではそのコマンドを受信し、転写手段としてＯＳのコピーコマンドを使い、本体不揮発メモリ２１のユーザデータ２２を外部メモリ媒体３０に転写（コピー）する。
【００２６】
次に、コンピュータ装置４０から、コマンド送信手段４２を使いユーザによって入力された外部メモリ媒体３０をＵＳＢマス・ストレージ・クラスとしてコンピュータ装置４０からアクセス可能にするコマンドを、携帯電話装置１０に対し発行すると、このコマンドによりアクセス制御手段としての外部メモリ媒体アクセス制御プログラム２１が前記制御部上で起動され、この外部メモリ媒体アクセス制御プログラム２１により設定される指令により、外部メモリ媒体３０を初期設定の携帯電話装置１０の内部プログラムからのみアクセス可能な状態から、コンピュータ装置４０からＵＳＢマス・ストレージ・クラスとしてアクセス可能な状態に切り替えられる。
【００２７】
次にコンピュータ装置４０は、外部メモリ媒体３０をＵＳＢマス・ストレージ・クラスとして、転写（コピー）されたユーザデータ２２をコンピュータ装置４０に接続されたストレージ（記憶装置）４１に転送する。
【００２８】
以上のようにして、携帯電話端末装置の本体内蔵不揮発性メモリ２０と外部メモリ媒体３０間のコピーを可能にするＯＳの外部コマンドを実装すること、さらに、ＵＳＢマス・ストレージ機能を利用することにより、独自開発部分を最小に抑え経済的かつ簡易にＰＣ等コンピュータ装置４０に携帯電話端末ユーザデータのバックアップを可能にしている。
【００２９】
なお、前記パソコン側からコマンドを携帯電話端末装置１０に送るための前記コマンド送信手段４２としては、図１に示すように、コマンド通信のための端末エミュレータ（例えば、Windows （登録商標）ＯＳに標準で備わる「ハイパーターミナル」等）を使ってキーボードからオペレータが入力するようにしてもよいし、あるいは、その代りとして、所定のコマンドを組み込んだファイル（バッチファイル）を予め作成、提供して、ユーザがそれを実行指示するように構成してもよい。
【００３０】
また、前述した携帯電話端末装置１０の外部メモリ媒体３０は、大容量メモリの情報転送の規格の一つであるＵＳＢマス・ストレージ・クラス（ＵＳＢ規格のデバイス・クラスの一つ）に準拠していれば、どのようなメモリであってもよく、例えばminiＳＤメモリ、ＳＤメモリなどでよい。
【００３１】
なお、ここで電話番号帳とは、少なくとも電話番号情報とそれに対応付けられた対象の識別情報を有する電話番号リストを１以上含むデータ構造をいい、ユーザデータ２２とは、この電話番号帳、その他にメールアドレス情報、スケジュール情報等を含めた携帯電話ユーザに関わるデータを含んでいてもよい。
【００３２】
また、外部メモリ媒体アクセス制御コマンド及び、本体内蔵不揮発性メモリ２０と外部メモリ媒体３０間のコピーを可能にする外部コマンドを、保守サービス対応者以外には非公開にし、あるいはまたパスワード等のセキュリティを施すことにより、エンドユーザ操作では移動が禁止されるディジタル著作権管理（ＤＲＭ：Digital Rights Management ）されたプロテクトデータ等の携帯電話装置故障時の代替携帯電話への保守目的のバックアップ、リストアが可能になるシステムとしてもよい。
【００３３】
次に、本実施形態において携帯電話装置が備えているユーザデータのバックアップ動作について、図２のフローチャートに基づき詳細に説明する。リストアについては逆の手順となる。
【００３４】
コンピュータ装置４０からコマンド送信手段４２を介して送られて来るコマンド（即ち、ユーザによって入力されたユーザデータ２２に対するバックアップコマンド）を、携帯電話装置１０が受信する（ステップＳ１０１、コマンド受信工程）。
このとき、外部メモリ媒体制御プログラム２１が前記制御部上で稼働し、外部メモリ媒体３０が携帯電話装置１０の内部プログラムに基づいた設定指令からのみアクセス可能な状態か又はそうでない状態かをチェックする（ステップＳ１０２）。もし、そうでない状態であれば、外部メモリ媒体アクセス制御プログラム２１が外部メモリ媒体３０を携帯電話装置１０の内部プログラムからのみアクセス可能な状態（本装置における本来の動作状態）に切り替える（ステップＳ１０３）。
【００３５】
そして、携帯電話装置１０は、前述した転写手段を稼働させて本体内蔵不揮発メモリ２０のユーザデータ２２を外部メモリ媒体３０へコピーする（ステップＳ１０４、転写工程）。
【００３６】
次に、コンピュータ装置４０から、コマンド送信手段４２を使いユーザによって入力された外部メモリ媒体３０へのアクセスを可能にするコマンドを、携帯電話装置１０が受信することにより( ステップＳ１０５、アクセス可能コマンド受信工程) 、外部メモリ媒体アクセス制御プログラム２１により例えば前記制御部上に設定される前記アクセス制御手段が稼働し、前記外部メモリ媒体３０をコンピュータ装置４０からのみアクセス可能な状態に切り替える（ステップＳ１０６、アクセス制御工程）。
【００３７】
最後に、コンピュータ装置４０が、ＵＳＢマスストレージ機能を利用して、外部メモリ媒体３０にコピーされたユーザデータ２２を、前述した転送手段を介してコンピュータ装置４０に接続されたユーザデータ格納用のストレージ（記憶装置）４１にコピーする（ステップＳ１０７、転送工程）。
【００３８】
ここで、上述した各工程で行なう各処理内容をプログラム化し、携帯電話端末装置のＭＰＵ等で実行させるように構成してもよい。
【００３９】
以上、説明した構成と動作によって、本発明の実施形態に係るＵＳＢインタフェース及び外部メモリ媒体を備えた携帯電話端末装置においては、ユーザデータを外部メモリ媒体に一旦コピーし、その外部メモリ媒体からパソコンの記憶装置にＵＳＢの標準的な転送方式を利用してユーザデータをバックアップすることにより、アクセス制御手段などの独自開発部分を最小に抑え、経済的で簡易且つ安全なユーザデータのバックアップを可能にしている。
【００４０】
さらに、外部コマンドを秘匿する仕組みを追加することによって、エンドユーザ操作では移動が禁止されるディジタル著作権管理（ＤＲＭ：Digital Rights Management ）でプロテクトされたユーザデータ等のバックアップ、リストアも可能にしている。
【図面の簡単な説明】
【００４１】
【図１】本発明の一実施形態に係る携帯電話ユーザデータ・バックアップ・システムのブロック図である。
【図２】本実施形態に係る携帯電話ユーザデータ・バックアップ・システムの動作を示すフローチャート図である。
【符号の説明】
【００４２】
１０    携帯電話端末装置
２０    携帯内蔵不揮発性メモリ
２１    外部メモリ媒体アクセス制御プログラム
２２    電話番号帳等のユーザデータ
３０    外部メモリ媒体
４０    コンピュータ装置（パーソナルコンピュータ，パソコン）
４１    ストレージ（記憶装置）
４２    コマンド送信手段
５０    ＵＳＢケーブル
【図１】
0005040399.tif 000002
【図２】
0005040399.tif 000003